(57)【要約】【課題】動線を短くして部屋の床面積を最大にするとともに、設計の自由度を高めることができる建物を提供する。【解決手段】水平断面四角形状の外周壁１を有する建物である。１階の十字形の構造壁線ｌ1、ｌ2に沿って構造材２ａ、２ｂ、２ｃ、２ｄが設けられているため、１階を４つの区画４１、４２、４３、４４に区分することができる。これらの区画内においては、間取りを自由に変更でき、設計の自由度を高めることができる。また、ある区画から他の区画へ移動する際の動線を短くすることができるので、廊下が不要であり、部屋の床面積を最大にすることができる。【選択図】図１
2005290860.tif 000002
【特許請求の範囲】
【請求項１】
水平断面四角形状の外周壁を有する建物において、前記１階の外周壁の内側に平面視十字状でかつ前記外周壁の内側を４つの区画に区分する構造壁線を設定し、この構造壁線に沿って前記外周壁とともに２階の床を支持する構造材が設けられていることを特徴とする建物。
【請求項２】
前記区画のいずれか１つには吹き抜けが設けられていることを特徴とする請求項１に記載の建物。
【請求項３】
２階の耐力壁が前記外周壁のみであることを特徴とする請求項１または２に記載の建物。
【請求項４】
玄関、浴室、トイレが同一の前記区画に設けられていることを特徴とする請求項１〜３のいずれか一項に記載の建物。
【請求項５】
前記玄関、浴室、トイレが設けられた区画に隣接する区画には、キッチンが設けられていることを特徴とする請求項４に記載の建物。
【発明の詳細な説明】
【技術分野】
【０００１】
本発明は、建物に関する。
【背景技術】
【０００２】
従来、戸建て住宅用の建物としては、玄関と他の居室との間の動線を確保するために廊下が設けられたものがある（例えば、特許文献１参照）。
【０００３】
また、建物内部を明るく開放感のある空間にするために、建物のほぼ中央に吹き抜けを設けるとともに、吹き抜け部分に階段を設け、居住者の動線を良好にするために階段の周囲に周回通路を設けた建物もある（例えば、特許文献２参照）。
【特許文献１】特開平１１−２５６８４７号公報
【特許文献２】特開２００１−２９５４８１号公報
【発明の開示】
【発明が解決しようとする課題】
【０００４】
しかし、廊下や周回通路を設けると、その床面積の分だけ、他の部屋の床面積が減少するとともに、廊下や周回通路があるために設計の自由度が低下するという問題がある。
【０００５】
本発明の課題は、動線を短くして部屋の床面積を最大にするとともに、設計の自由度を高めることができる建物を提供することである。
【課題を解決するための手段】
【０００６】
以上の課題を解決するため、請求項１に記載の発明は、図１（ａ）及び図１（ｂ）に示すように、水平断面四角形状の外周壁１を有する建物において、前記１階の外周壁１の内側に平面視十字状でかつ前記外周壁１の内側を４つの区画４１、４２、４３、４４に区分する構造壁線（耐力壁線ｌ1、支持壁線ｌ2）を設定し、この構造壁線（耐力壁線ｌ1、支持壁線ｌ2）に沿って前記外周壁１とともに２階の床を支持する構造材（耐力壁２ａ、２ｂ、２ｄ及び支持壁２ｃ）が設けられていることを特徴とする。
【０００７】
ここで、構造壁線としては、耐力壁線ｌ1や支持壁線ｌ2が挙げられる。構造壁線に沿って構造材を設けるとは、構造壁線全体に沿って構造材を設けることはもちろんのこと、構造壁線の一部に沿って構造材を設けることも含む。耐力壁線ｌ1や支持壁線ｌ2に沿って設けられる構造材としては、鉛直荷重を支持するとともに水平せん断力を負担する耐力壁や、鉛直荷重のみを支持し水平せん断力を負担しない支持壁などがあり、その他に、梁や垂れ壁、腰壁等が挙げられる。
【０００８】
請求項１に記載の発明によれば、１階に設定した十字形の構造壁線（耐力壁線ｌ1、支持壁線ｌ2）に沿って構造材（耐力壁２ａ、２ｂ、２ｄ及び支持壁２ｃ）が設けられているため、１階を４つの区画４１、４２、４３、４４に区分することができる。
【０００９】
また、外周壁１と、十字形の構造壁線（耐力壁線ｌ1、支持壁線ｌ2）に沿って設けられた構造材（耐力壁２ａ、２ｂ、２ｄ及び支持壁２ｃ）とが２階の床を支持するため、各区画の上部の２階の床を独立に支持することができる。したがって、これらの区画内においては、間取りを自由に変更でき、設計の自由度を高めることができる。
【００１０】
また、いずれか１つの区画の上部の２階の床を取り除いても、２階の床の他の部分に影響を与えることがなく、任意の区画に吹き抜け２２や階段１６を設けることができる。また、ある区画から他の区画に短い動線で移動できるので、廊下が不要であり、部屋の床面積を最大にすることができる。
【００１１】
請求項２に記載の発明は、請求項１に記載の建物であって、前記区画４１、４２、４３、４４のいずれか１つには吹き抜け２２が設けられていることを特徴とする。
【００１２】
請求項２に記載の発明によれば、区画４１、４２、４３、４４のいずれか１つに吹き抜け２２を設けることで、２階の部屋２１を１階と連続した開放感のある空間とすることができるとともに、１階の部屋の採光を良好にすることができる。
【００１３】
請求項３に記載の発明は、請求項１または２に記載の建物において、図１（ｂ）に示すように、２階の耐力壁が前記外周壁１のみであることを特徴とする。
【００１４】
請求項３に記載の発明によれば、２階の耐力壁が外周壁１のみであるため、２階を大空間の部屋２１とすることができ、また任意の位置に間仕切壁を配置して間取り変更をすることができる。
【００１５】
請求項４に記載の発明は、請求項１〜３のいずれか一項に記載の建物であって、玄関１１、浴室１２、トイレ（トイレ兼洗面所１３）が同一の前記区画４１に設けられていることを特徴とする。
【００１６】
請求項４に記載の発明によれば、玄関１１、浴室１２、トイレ（トイレ兼洗面所１３）を同一の区画４１に設けることで、他の区画４２、４３、４４を設計する際の自由度を向上させることができる。
【００１７】
請求項５に記載の発明は、請求項４に記載の建物であって、前記玄関１１、浴室１２、トイレ（トイレ兼洗面所１３）が設けられた区画４１に隣接する区画４２には、キッチン１４が設けられていることを特徴とする。
【００１８】
請求項５に記載の発明によれば、玄関１１、浴室１２、トイレ（トイレ兼洗面所１３）が設けられた区画４１に隣接する区画４２に、キッチン１４を設けることで、水回り用の配管をまとめて設置することができ、施工コストを低減することができる。
【発明の効果】
【００１９】
本発明によれば、１階の十字形の構造壁線に沿って構造材が設けられているため、１階を４つの区画に区分することができる。
【００２０】
また、外周壁と、十字形の構造壁線に沿って設けられた構造材とが２階の床を支持するため、各区画の上部の２階の床を独立に支持することができる。したがって、これらの区画内においては、間取りを自由に変更できるので、設計の自由度を高めることができる。また、いずれか１つの区画の上部の２階の床を取り除いても、２階の床の他の部分に影響を与えることがなく、任意の区画に吹き抜けや階段を設けることができる。
【００２１】
また、いずれか１つの区画に吹き抜けを設けることで、２階の部屋を１階と連続した開放感のある空間とすることができるとともに、１階の部屋の採光を良好にすることができる。また、ある区画から他の区画に短い動線で移動できるので、廊下が不要であり、部屋の床面積を最大にすることができる。
【００２２】
また、２階の耐力壁が外周壁のみであるため、２階を大空間の部屋とすることができ、また任意の位置に間仕切壁を配置して間取り変更をすることができる。
【００２３】
また、玄関を設けた区画に浴室、トイレを設けることで、他の区画を設計する際の自由度を向上させることができる。さらに、玄関、浴室、トイレが設けられた区画に隣接する区画に、キッチンを設けることで、水回り用の配管をまとめて設置することができ、施工コストを低減することができる。
【発明を実施するための最良の形態】
【００２４】
以下、本発明の実施の形態について詳細に説明する。図１は本発明の建物を示す間取り図であり、（ａ）は１階の間取り図、（ｂ）は２階の間取り図である。本発明の建物は、水平断面がほぼ四角形状の外周壁１を有している。図１（ａ）に示すように、耐力壁線ｌ1は北側と南側の外周壁１と平行に、その中間位置に東西方向に設定されている。また、支持壁線ｌ2は東側と西側の外周壁１と平行に、その中間位置に南北方向に設定されている。
【００２５】
１階には、耐力壁線ｌ1に沿って耐力壁２ａ、２ｂが設けられ、耐力壁２ａ、２ｂの間には、耐力壁線ｌ1に沿って図示しない梁が設けられている。また、支持壁線ｌ2に沿って支持壁２ｃ、耐力壁２ｄが設けられている。
【００２６】
耐力壁線ｌ1は１階を南北に区分し、支持壁線ｌ2は１階を東西に区分するため、耐力壁線ｌ1、支持壁線ｌ2は１階を４つの区画４１、４２、４３、４４に区分する。なお、耐力壁２ａ、２ｂ、２ｄ及び支持壁２ｃ以外にも、構造壁線（耐力壁線ｌ1、または支持壁線ｌ2）に沿って設けられる構造材として、例えば腰壁や垂れ壁等を設けてもよい。
【００２７】
各区画４１、４２、４３、４４は、外周壁１及び構造壁線（耐力壁線ｌ1、支持壁線ｌ2）により周囲を囲まれているため、その内部設備を任意に配置することができ、間取りを自由に設計することができる。
【００２８】
北西側の区画４１には、玄関１１、浴室１２、トイレ兼洗面所１３が設けられている。北東側の区画４２には、キッチン１４が設けられている。南東側の区画４３と、南西側の区画４４には、連続したリビング・ダイニングルーム１５が設けられている。また、南西の区画４４には、外周壁１に沿って収納スペース１５ａ、１５ｂが設けられている。
【００２９】
このように、玄関１１がある北西側の区画４１と、キッチン１４がある北東側の区画４２とが隣接しているため、水回り用の配管をまとめて設置することができ、施工コストを低減することができる。
【００３０】
さらに、上記２つの区画４１、４２は、リビング・ダイニングルーム１５がある南東の区画４３、南西の区画４４とも隣接しているため、動線を最短にすることができ、廊下を不要とすることができる。
【００３１】
南西側の区画４４の上部には、図１（ｂ）に示すように、２階の床がなく、吹き抜け２２となっているとともに、２階へ通じる階段１６が設けられている。なお、図１では耐力壁２ａに沿って階段１６が設けられているが、この区画４４の内部であれば、任意の位置に階段１６を設けることができる。
【００３２】
２階の床には、吹き抜け２２の周辺部分に、落下防止用の手摺壁２３が設けられている。また、吹き抜け２２がある南西側の区画４４の２階の外周壁１には、採光窓２４が設けられており、１階のリビング・ダイニングルーム１５の採光を良好にしている。さらに、屋根に図示しない天窓を設け、一層明るい空間を形成してもよい。
【００３３】
なお、南西側の区画４４に吹き抜け２２を設ける代わりに、南東側の区画４３や、北東側の区画４２に設けてもよい。２階の床は、外周壁１と、構造壁線（耐力壁線ｌ1、支持壁線ｌ2）に沿って設けられる耐力壁２ａ、２ｂ、２ｄ及び支持壁２ｃやその他の構造材によって支持されているため、いずれかの区画の上部の２階の床を取り除いても、他の区画の上部の２階の床に構造上の影響を与えることがない。
【００３４】
２階は、図１（ｂ）に示すように、１つの大空間の部屋２１となっている。２階の耐力壁は外周壁１のみであるため、部屋２１の内部の任意の位置に図示しない間仕切壁を設け、個室や寝室として利用することができる。
【００３５】
また、一度配置した間仕切壁を、任意の位置に配置し直して間取り変更をすることができる。このため、この建物に長期間居住する間に、家族の成長や独立のために、間取りや仕様の変更を行う必要が生じた場合にも、間仕切壁を任意の位置に設けることで、建物の完成後においても容易に間取りを変更することができる。
【００３６】
なお、以上の実施の形態においては、玄関１１を北西側の区画４１に西向きに設けたが、建物の周辺の道路等を考慮し、北向きに設けてもよいし、その他の任意の区画に設けてもよい。また、南西側の区画４４には階段１６以外に吹き抜け２２を設けなくてもよい。また、その他の間取りや方角についても適宜変更可能であることはもちろんである。
【図面の簡単な説明】
【００３７】
【図１】本発明の建物を示す間取り図であり、（ａ）は１階の間取り図、（ｂ）は２階の間取り図である。
【符号の説明】
【００３８】
１     外周壁
２ａ、２ｂ、２ｄ     耐力壁
２ｃ   支持壁
１１   玄関
１２   浴室
１３   トイレ兼洗面所
１４   キッチン
１６   階段
２１   部屋
４１、４２、４３、４４      区画
ｌ1    耐力壁線
ｌ2    支持壁線
【図１】
2005290860.tif 000003